(57)【要約】【課題】配電卸売事業者間の価格競争を促進させるとともに各電力需要家に対するサービスの向上を図ること。【解決手段】電力需要家１４ａ、１４ｂに関するデータをデータ収集分析装置３２で収集して分析し、この分析により得られたロードプロファイルデータをロードプロファイルとして、配電卸売業者１２ａ、１２ｂの管理下にある配電管理装置に通信ネットワークを介して送信し、配電管理装置において電力需要家１４ａ、１４ｂに関する電力需要を予測し、この予測結果を基に発電元からの電力を各電力需要家１４ａ、１４ｂに供給する。【選択図】        図１
2005045899.tif 000002
【特許請求の範囲】
【請求項１】
複数の電力需要家に関するデータを収集して分析するデータ収集分析装置と、発電元からの電力を前記各電力需要家に配電するための管理を行なう配電管理装置とを備え、前記配電管理装置は、前記データ収集分析装置の分析により得られた負荷状態情報を受信してなる電力取引システム。
【請求項２】
請求項１に記載の電力取引システムにおいて、前記データ収集分析装置は、前記各電力需要家が使用した電力量を電力需要単位毎に計測する複数の電力量計の計測値を電力消費量データとして取り込むデータ収集手段と、前記データ収集手段により収集された各電力消費量データを測定時間帯に対応づけてロードサーベイデータとして記憶するロードサーベイデータ記憶手段と、前記各電力需要単位のロードサーベイデータを前記各電力需要単位の特性データに従って分析して負荷状態データを作成し、作成した負荷状態データを負荷状態情報に変換して出力する負荷状態情報作成手段とを備えてなる電力取引システム。
【請求項３】
請求項２に記載の電力取引システムにおいて、前記データ収集手段は、前記各電力需要家が使用した電力量を電力需要単位に属する電気機器毎に分けて計測する複数の機器別電力量計の計測値を電気機器個別の電力消費量データとして収集してなることを特徴とする電力取引システム。
【請求項４】
請求項３に記載の電力取引システムにおいて、前記負荷状態情報作成手段は、前記各電力需要単位の特性データとして、前記各電気機器の機器種別と定格消費電力に関するデータを用いてなることを特徴とする電力取引システム。
【請求項５】
請求項４に記載の電力取引システムにおいて、前記負荷状態情報作成手段は、前記各電力需要単位のロードサーベイデータを前記各電力需要単位の特性データに従って分析して負荷状態データを作成するときに、予め定義された機器別電力消費パターンに関連づけて前記負荷状態データを作成してなることを特徴とする電力取引システム。
【請求項６】
請求項２、３、４または５のうちいずれか１項に記載の電力取引システムにおいて、前記負荷状態情報作成手段は、前記各電力需要単位の特性データとして、前記各電力需要家の家族構成、住所、住居区分を用いてなることを特徴とする電力取引システム。
【請求項７】
請求項２、３、４、５または６のうちいずれか１項に記載の電力取引システムにおいて、前記負荷状態情報作成手段は、前記各電力需要単位のロードサーベイデータを前記各電力需要単位の特性データに従って分析して負荷状態データを作成するときに、予め定義された地域コード、需要家種別コードおよび電力消費量データの時間変化を示す電力消費パターンコードに関連づけて前記負荷状態データを作成してなることを特徴とする電力取引システム。
【請求項８】
請求項７に記載の電力取引システムにおいて、前記負荷状態情報作成手段は、前記各電力需要単位の特性データのうち前記各電力需要家の家族構成に属する職業・年齢と前記各電力需要家の住居区分を用いて前記需要家種別コードを選択してなることを特徴とする電力取引システム。
【請求項９】
請求項７または８に記載の電力取引システムにおいて、前記負荷状態データの作成に用いられた地域コードおよび需要家種別コードと、配電卸売業者の営業対象地域における国勢調査の世帯構成情報とを基に前記営業対象地域の電力需要を予測する電力需要予測手段を備えてなることを特徴とする電力取引システム。
【請求項１０】
請求項９に記載の電力取引システムにおいて、前記電力需要予測手段は、前記営業対象地域に関する電力需要の予測結果を前記配電卸売業者の営業対象地域を含む地図の上に配電線毎にマッピングしてなることを特徴とする電力取引システム。
【請求項１１】
請求項１〜１０のうちいずれか１項に記載の電力取引システムにおいて、前記配電管理装置は、前記データ収集分析装置から受信した負荷状態情報に従って指定の電力需要家に関する省エネルギー情報を生成し、生成した省エネルギー情報を通信ネットワークを介して前記指定の電力需要家に伝送してなる電力取引システム。
【請求項１２】
請求項１〜１１のうちいずれか１項に記載の電力取引システムにおいて、前記配電管理装置は、前記データ収集分析装置から受信した負荷状態情報に従って前記指定の電力需要家における電気の使い方に関する情報を生成し、生成した電気の使い方に関する情報を前記通信ネットワークを介して前記指定の電力需要家に伝送してなることを特徴とする電力取引システム。
【請求項１３】
複数の電力需要家に関するデータを収集して分析するデータ収集分析装置と、発電元からの電力を前記各電力需要家に配電するための管理を行なう配電管理装置との間で情報の授受を行うに際して、前記配電管理装置は、前記データ収集分析装置の分析により得られた負荷状態情報を受信することを特徴とする電力取引方法。
【請求項１４】
請求項１３に記載の電力取引方法において、前記データ収集分析装置は、前記各電力需要家が使用した電力量を電力需要単位毎に計測する複数の電力量計の計測値を電力消費量データとして収集し、前記収集された各電力消費量データを測定時間帯に対応づけてロードサーベイデータとして記憶し、前記記憶されたロードサーベイデータを前記各電力需要単位の特性データに従って分析して負荷状態データを作成し、作成した負荷状態データを負荷状態情報に変換し、前記変換された負荷状態情報を通信ネットワークを介して前記配電管理装置に送信することを特徴とする電力取引方法。
【請求項１５】
請求項１３または１４に記載の電力取引方法において、前記配電管理装置は、前記データ収集分析装置から受信した負荷状態情報に従って指定の電力需要家に関する省エネルギー情報を生成し、生成した省エネルギー情報を通信ネットワークを介して前記指定の電力需要家に伝送することを特徴とする電力取引方法。
【請求項１６】
請求項１３、１４または１５のうちいずれか１項に記載の電力取引方法において、前記配電管理装置は、前記データ収集分析装置から受信した負荷状態情報に従って前記指定の電力需要家における電気の使い方に関する情報を生成し、生成した電気の使い方に関する情報を通信ネットワークを介して前記指定の電力需要家に伝送することを特徴とする電力取引方法。
【発明の詳細な説明】
【０００１】
【発明の属する技術分野】
本発明は、電力取引システムおよびその方法に係り、特に、配電卸売業者が管理する配電管理装置から各電力需要家に契約にしたがって電力を供給するに好適な電力取引システムおよびその方法に関する。
【０００２】
【従来の技術】
従来、各電力需要家（電力需要者）に電力を供給するに際しては、電力会社が所有する電力系統を介して各電力需要家に電力を供給することが行われている。一方、新しい電気事業制度下においては、発電業者（電力会社）とは異なる配電卸売業者と各電力需要家との間で契約を行い、この契約を基に発電元からの電力を各電力需要家に供給できるようになっている。この場合、配電卸売業者から各電力需要家に各種のサービスを提供するために、各種のシステムが構築されている。
【０００３】
例えば、電力消費量の来歴情報を応用した電力取引システムとしては、自動検針メータの検針結果を基に、電力会社（配電卸売業者）から示される料金メニューの選択手段を各電力需要家へ提供する技術が提案されている（特許文献１参照）。
【０００４】
また、省エネルギーに関する情報を各電力需要家に提供する技術としては、例えば、電力使用量の来歴を記憶しておき、電力使用量の来歴と直近の電力使用量との比較結果を電力需要家に提示する技術が提案されている（特許文献２参照）。
【０００５】
さらに、エネルギーを消費する消費施設とエネルギーを供給する生産施設とをネットワークで接続し、消費施設で消費したエネルギー関するデータをネットワークを介して生産施設に取り込み、生産施設において、収集したデータを基にエネルギー使用予測モデルを作成し、作成したエネルギー使用予測モデルに基づいてエネルギー購入計画を作成するようにした技術が提案されている（特許文献３参照）。
【０００６】
【特許文献１】
特開２００１−１９４１７９号公報（第２頁から第３頁、図１）
【特許文献２】
特開２００２−１１７０７７号公報（第２頁から第３頁、図１）
【特許文献３】
特開２００２−２３６７２４号公報（第２頁から第４頁、図１）
【０００７】
【発明が解決しようとする課題】
新しい電気事業制度下において、配電卸売業者の管理の下に、発電元からの電力を各電力需要家に供給するに際しては、以下のような課題がある。
【０００８】
（１）複数の配電卸売業者から提示される料金メニューを各電力需要家（電力需要者）が単純に比較を行って、電力を購入すべき配電卸売業者や料金メニューを選定するのみでは、取引における価格競争力や電力需要家が電力を購入するときの付加価値がなくなり、配電卸売業者が提示する電気料金そのものを下げる圧力になることは難しい。
【０００９】
（２）電力使用量の来歴と直近の電力使用量との単純比較では、電力需要家の消費構造変化（居住者の増減や電気機器の買い替え、買い増しなど）には対応できず、意味のない省エネルギー情報が提示される可能性がある。また使用量の来歴が形成されるまでは、省エネルギー情報が提示されないことになる。
【００１０】
（３）収集したデータを基づいてエネルギー購入計画を作成するだけでは、配電卸売事業者間の価格競争を促進させることはできない。
【００１１】
本発明の課題は、配電卸売事業者の管理下にある装置に対して、各電力需要家に関するデータを提供し、結果として、配電卸売事業者間の価格競争を促進させるとともに各電力需要家に対するサービスの向上を図ることにある。
【００１２】
【課題を解決するための手段】
前記課題を解決するために、本発明は、電力プロファイリング作成者（ロードプロファイルデータ作成者）の管理下にあって、複数の電力需要家に関するデータを収集して分析するデータ収集分析装置と、配電卸売事業者の管理下にあって、発電元からの電力を各電力需要家に配電するための管理を行う配電管理装置とを備え、データ収集分析装置の分析により得られた負荷状態情報を配電管理装置に提供するようにしたものである。
【００１３】
前記した手段によれば、電力プロファイリング作成者は、配電卸売業者から独立した組織であり、電力プロファイリング作成者が保有する負荷状態情報を複数の配電事業者に対して提供することができる。配電卸売事業者は、提供された負荷状態情報を活用することで、極め細かい需給計画を立案したり、省エネルギー情報などの付加価値サービスを各電力需要家に提供したりすることができる。この結果、配電卸売事業者間の価格競争を促進させることができる。また、これまで営業実績のない地域に新規参入する配電卸売業者の要求に応じて、負荷状態情報を基に、営業実績のない地域に関する電力需要を予測したり、初期の供給計画を立案したりすることが可能になる。
【００１４】
【発明の実施の形態】
以下、本発明の一実施形態を図面に基づいて説明する。図１は本発明の一実施形態を示す電力取引システムの概略構成図である。図１において、発電元からの電力を複数の電力需要家（電力需要者）に供給するに対しては、発電元となる発電業者（電力会社）１０ａ、１０ｂと配電卸売業者１２ａ、１２ｂとの間で、電力購入・電力供給に関する電力卸売取引契約が行われる。また配電卸売業者１２ａ、１２ｂと電力需要家（電力需要者）１４ａ、１４ｂとの間で、電力供給・電力購入などに関する電力取引契約が行われる。契約が行われると、契約に基づいて、いずれかの発電業者からの電力が各電力需要家１４ａ、１４ｂに供給される。この場合、配電卸売業者１２ａ、１２ｂが配電系統を所有する場合には、その配電系統を介して各電力需要家１４ａ、１４ｂに電力が供給され、配電卸売業者１２ａ、１２ｂが配電設備を備えていないときには、発電業者の所有する配電系統に介して各電力需要家１４ａ、１４ｂに電力が供給されることになる。後者の場合、配電卸売業者１２ａ、１２ｂは発電元からの電力を各電力需要家１４ａ、１４ｂに契約にしたがって配電するための管理を行うだけであって、電力の供給は発電元から直接各電力需要家１４ａ、１４ｂに行われることになる。
【００１５】
また、配電卸売業者１２ａ、１２ｂは、電力取引について、電力需要家全体の総電力契約量から電力購入量、電力購入価格、電力小売量、電力小売価格を決定する。この場合、電力購入量は、電力小売量の見積に対して、マージンを持つため、電力購入量は、通常電力小売量よりも大きくなる。このマージンは、電力小売価格に対してコストとして加算される。
【００１６】
一方、複数の電力需要家１４ａ、１４ｂには、各電力需要家１４ａ、１４ｂが使用した電力量を計測するための電力量計が電力需要単位１６ごとに設置されている。電力需要単位１６は、図２に示すように、２台の電気機器１８、２０が設置されている場合、電力需要単位１６の総需要電力を計測する主電力量計２２、電力線２４からの電力を主電力量計２２を介して取り込んで、電気機器１８と電気機器２０にそれぞれ分配する分電盤２６、電気機器１８の需要電力（電力消費量）を計測する機器別電力量計２８、電気機器２０の需要電力（電力消費量）を計測する機器別電力量計３０を備えて構成される。そして主電力量計２２、機器別電力量計２８、３０の計測値は電力消費量データとして、通信ネットワーク（例えば、インターネット）を介してデータ収集分析装置３２に送信されるようになっている。
【００１７】
データ収集分析装置３２は、配電卸売業者１２ａ、１２ｂから独立した組織である電力プロファイリング作成者（ロードプロファイルデータ作成者）の管理下にあって、各電力需要家１４ａ、１４ｂに関するデータを収集して分析し、分析により得られたロードプロファイル（負荷の状態を示す負荷状態情報、例えば、負荷で消費される電力の推移などを示す負荷状態情報）として、配電卸売業者１２ａ、１２ｂとの契約にしたがって、通信ネットワーク（例えば、インターネット）を介して配電管理装置（図示省略）に送信するようになっている。
【００１８】
具体的には、データ収集分析装置３２は、図３に示すように、データベース３４、３６、３８、４０、４２、４４、４６、ロードサーベイデータ分析部４８、プロフィール分析部５０、ロードサーベイデータ補正部５２、ロードプロファイルデータ作成部５４、格納フォーマット変換部５６、データベース５８を備えて構成されている。
【００１９】
データベース３４は、各電力需要単位１６ごとに計測された電力量の計測値が電力消費量データとして、データ収集手段としてのインターフェイス（図示省略）に取り込まれたときに、この電力消費量データを測定時間帯に対応づけてロードサーベイデータ（負荷分析データ）として記憶するロードサーベイデータ（負荷分析データ）記憶手段として構成されている。各電力需要単位１６に関連づけて記憶されたロードサーベイデータはロードサーベイデータ分析部４８において分析される。ロードサーベイデータ分析部４８は、データベース３６に記憶された季節特性に関する補正データと、データベース３８に記憶されたイベント特性（サッカー等のスポーツイベントの有無など）に関する補正データを用いてロードサーベイデータを分析するようになっている。ロードサーベイデータを分析するときに、季節特性やイベント特性を補正データに用いると、ロードサーベイデータに対して比較的長期的な需要動向の変化や短期的な需要動向の変化を分析することができる。この分析により、電力需要家１４ａ、１４ｂの電力需要傾向に大きな変化（ぶれ）があった場合、変動要因が外部的な要因か、内部的な要因（故障、機器の誤用など）によるか否かの推定が可能になる。例えば、電力量が例年に比べて異常に多い場合には、機器誤用の確認などを電力需要家に対して進言可能になる。この場合、ロードサーベイデータを分析することにより、イベント特性などで変動要素のフィルタリングを行い、より精度の高いデータを求めることが可能になる。
【００２０】
一方、データベース４０には、各電力需要単位１６の特性データ（特徴データ）が格納されている。すなわち、電力需要家１４ａ、１４ｂの家族構成（職業、年齢）、住所、住宅区分（戸建、集合住宅）など、電力需要家１４ａ、１４ｂの電力需要に関連するデータが電力需要単位１６ごとに格納されている。データベース４０に格納された特性データはプロフィール分析部５０において分析される。プロフィール分析部５０において特性データを分析するに際しては、データベース４２に格納された在宅率特性、データベース４４に格納された地域性、データベース４６に格納された住宅区分特性を補正データとして分析が行われる。すなわち、特性データを分析するに際して、在宅率特性、地域性、住宅区分特性を用いると、特性データにマッチした電力需要家の平均的な電力需要パターンを求めることができる。
【００２１】
ここで、在宅率特性の定義例を図４に、地域性の定義例を図５に、住宅区分特性の定義例を図６に示す。在宅率特性は、図４に示すように、「家族３人」、「夫婦共働き」、「夫婦・学生」、「学生１人」のようにパターン化されている。また地域性については、図５に示すように、各地区Ａ、Ｂ、Ｃ・・・のように各地区の気温、湿度に関するデータを日時、天候などに関連づけて格納されている。また住宅区分特性については、図６に示すように、戸建、集合住宅を「木造」、「鉄筋」、「鉄骨」のようにパターン化されている。
【００２２】
プロフィール分析部５０において、特性データを住宅率特性、地域性、住宅区分特性にしたがって分析すると、各電力需要家１４ａ、１４ｂの電力需要傾向が、平均的な電力需要パターンからどれ程ずれているかの変位量が明らかになる。例えば、子どもがない夫婦共働きの家庭の電力消費傾向は、朝と夜間に集中した型であり、昼間の電力消費量は少ないなどが分かり、この傾向から外れている電力需要家の割合を需要予想リスクとして使用することが可能になる。
【００２３】
プロフィール分析部５０の分析結果はロードサーベイデータ分析部４８の分析結果とともにロードサーベイデータ補正部５２に転送される。ロードサーベイデータ補正部５２においては、ロードサーベイデータ分析部４８の分析により得られたロードサーベイデータを、プロフィール分析部５０の分析によって得られた分析結果にしたがって補正し、補正されたロードサーベイデータをロードプロファイルデータ作成部５４に出力する。ロードプロファイルデータ作成部５４は、ロードサーベイデータ補正部５２からのデータに基づいてロードプロファイルデータ（負荷の状態を示すデータ、例えば、負荷で消費される電力の推移などを示すデータ）を作成し、作成したロードプロファイルデータを格納フォーマット変換部５６に出力し、ロードプロファイルデータを指定のフォーマットに変換したあとロードプロファイルとしてデータベース５８に格納するようになっている。すなわち、ロードサーベイデータ分析部４８、プロフィール分析部５０、ロードサーベイデータ補正部５２、ロードプロファイルデータ作成部５４、格納フォーマット変換部５６は、各電力需要単位１６のサーベイデータを各電力需要単位１６の特性データにしたがってロードプロファイルデータを作成し、作成したロードプロファイルデータをロードプロファイルに変換するロードプロファイル作成手段として構成されている。
【００２４】
次に、ロードプロファイルの一例を図７および図８にしたがって説明する。図７（ａ）は、電力需要単位１６ごとの電力消費量データのみを用いたロードプロファイル１００の例である。ロードプロファイル１００は、各時刻（時間帯）における主電力量計２２の計測値、地域コード、イベント補正、需要パターンで構成されている。地域コード「１」は、電力需要単位の物理的な位置を示す識別子であり、イベント補正は、電力需要に影響があるイベント、例えば、スポーツイベントなどがどの程度電力需要単位に影響を及ぼすかの推定値である。例えば、イベントがないときにはイベント補正は「０」であるが、サッカーなどのスポーツイベントがあるときにはその時間帯で電力需要が増加するため、イベント補正の値には大きな数値が用いられる。需要パターン１０２は、図７ｂに示すように、深夜１、深夜２、深夜３・・・のように、特性データ（特徴データ）に関連づけて設定されている。この場合、深夜の活動に「○」が挿入されているのは、深夜に、例えば、エアコンがオンになっていることを示している。また、深夜複数に「○」があるのは、深夜にエアコンが２台オンになっていることを示す。また深夜調理に「○」があるのは、深夜に調理器がオンになっていることを示している。そして需要パターン１０２において、特性データから、「深夜１」は、「一人暮らしの学生」に適用され、「深夜２」は「３人以上の家族」に適用され、「深夜３」は、「共働き夫婦」に適用される。またロードプロファイル１００は、図７（ｃ）に示すように、電力需要単位１６の物理的な位置１０４に関連づけて生成されている。位置１０４には、配電地図１０６に関する情報が格納されており、配電地図１０６には電力需要単位１６の概略位置１０８が示されている。
【００２５】
一方、図８（ａ）に示すロードプロファイル１１０は、電力需要単位１６に属する電気機器を含めたロードプロファイルの一例を示している。すなわち、ロードプロファイル１１０は、各時刻（時間帯）における主電力量計２２の計測値、エアコン１、エアコン２、調理器、給湯器、地域コード、需要パターンから構成されている。ここで、主電力量計２２の計測値は、エアコン１、エアコン２、調理器、給湯器の合計の電力量を示している。またエアコン１、エアコン２における電力量「５」はエアコン１、２がそれぞれオフの状態における電力量を示している。また需要パタン１１２については、図８（ｂ）に示すように、深夜０、深夜１、深夜２、深夜３……のように分けられており、各パターンは特性データ（特徴データ）にしたがって設定されている。またロードプロファイル１１０は、図８（ｃ）に示すように、電力需要単位１６の物理的な位置１１４に関連づけて生成されている。位置１１４には配電地図１１６に関する情報が格納されており、配電地図１１６上には電力需要単位１６の概略位置１１８が示されている。
【００２６】
次に、配電卸売業者１２ａ、電力プロファイリング作成者３２ａ、発電業者１０ａ、電力需要家１４ａ間のマネーフローとサービスフローの一例を図９にしたがって説明する。電力プロファイリング作成者３２ａによってロードプロファイルが作成されたときには、配電卸売業者１２ａは、ビジネス計画の立案に当たり、電力プロファイリング作成者３２ａに対して、ロードプロファイル購入契約を締結する。これにより、配電卸売業者１２ａは、電力プロファイリング作成者３２ａによって作成されたロードプロファイルを使用して、当該営業区域での電力需要予測を行い、この予測結果を基に、発電業者１０ａおよび電力需要家１４ａと電力供給契約を結ぶ。また新たな電力供給に関しては、電力プロファイリング作成者３２ａは、更新されたロードプロファイルを配電卸売業者１２ａに提供する。これにより配電卸売業者１２ａは、更新されたロードプロファイルにしたがって当該営業区域での電力需要予測を行うことができる。
【００２７】
次に、配電卸売業者１２ａが、新規の営業地域を開拓するときのフローを図１０にしたがって説明する。配電卸売業者１２ａは、新規需要予測の立案に当たり、電力プロファイリング作成者３２ａに対して、当該地域のロードプロファイル購入契約を締結する。配電卸売業者１２ａは、新規営業地域におけるロードプロファイル（データ）を使用して、新規営業地域における電力需要予測を行い、この予測結果を基に電力小売価格などを決定したあと、新規営業地域に属する電力需要家１４ａに対して電力小売料金の告知を行う。続いて、同地域の電力需要家１４ａおよび発電業者１０ａと電力供給契約を結ぶ。そして新たな電力供給に関して、電力プロファイリング作成者３２ａは、更新されたロードプロファイルを配電卸売業者１２ａに提供することで、配電卸売業者１２ａは、更新されたロードプロファイルを用いて新規営業地域における電力需要予測などを行うことができる。
【００２８】
データ収集分析装置３２において、電力消費量データを収集するに際しては、機器別電力量計２８、３０の計測値を電気機器個別の電力消費量データとして電力需要単位１６ごとに収集することもできる。
【００２９】
またデータ収集分析装置３２において、ロードプロファイルデータを作成するに際しては、各電力需要単位１６の特性データとして、電気機器の機器種別と定格消費電力に関するデータを用いることができる。さらに、ロードプロファイルデータを作成するときに、予め電力プロファイリング作成者３２ａによって定義された機器別電力消費パターンに関連づけて作成したり、あるいは予め電力プロファイリング作成者３２ａによって定義された地域コード、需要家種別コードおよび電力消費量データの時間変化を示す電力消費パターンコードに関連づけて作成することもできる。
【００３０】
配電管理装置またはデータ収集分析装置３２に、電力需要予測手段としての機能を設けるに際して、ロードプロファイルデータの作成に用いられた地域コードおよび需要家種別コードと配電卸売業者の営業対象地域における国勢調査の世帯構成情報とを基に営業対象地域の電力需要を予測することもできる。この場合、電力需要予測手段に、営業対象地域に関する電力需要の予測結果を配電卸売業者の営業対象地域を含む地図の上に配電線ごとにマッピングする機能を付加することもできる。
【００３１】
また配電卸売業者から各電力需要家に情報を提供するに際しては、配電卸売業者の管理下にある配電管理装置において、データ収集分析装置３２から受信したロードプロファイル（負荷状態情報）にしたがって指定の電力需要家（予め電力プロファイリング作成者３２によって定義された電力需要家）に関する省エネルギー情報を生成し、生成した省エネルギー情報を通信ネットワークを介して指定の電力需要家に伝送したり、データ収集分析装置３２から受信したロードプロファイル（負荷状態情報）にしたがって指定の電力需要家における電気の使い方に関する情報を生成し、生成した電気の使い方に関する情報を通信ネットワークを介して指定の電力需要家に伝送することもできる。
【００３２】
本実施形態によれば、配電卸売業者がロードプロファイルを活用することにより、電力需要予測の精度向上、新規営業地域への参入が容易となる。よって、コスト削減が図れるとともに、配電卸売業者間の価格競争を促進させることが可能になり、電力小売価格の低下に寄与することが可能になる。
【００３３】
またロードプロファイルと電力需要家の特性データを活用することにより、電力需要家の消費構造の変化や使用量の来歴にしたがった省エネルギー情報を電力需要家に提示することができ、これにより電力需要家に対して付加価値の高いサービスを提供することが可能になる。
【００３４】
【発明の効果】
以上説明したように、本発明によれば、配電卸売事業者間の価格競争を促進させるとともに各電力需要家に対するサービスの向上を図ることができる。
【図面の簡単な説明】
【図１】本発明の一実施形態を示す電力取引システムの概略構成図である。
【図２】電力需要単位の構成図である。
【図３】データ収集分析装置のブロック構成図である。
【図４】在宅率特性のデータ構成を説明するための図である。
【図５】地域性のデータ構成を説明するための図である。
【図６】住宅区分特性のデータ構成を説明するための図である。
【図７】ロードプロファイルの構成説明図である。
【図８】他のロードプロファイルの構成説明図である。
【図９】本発明における契約とサービスの処理を説明するための図である。
【図１０】本発明における契約とサービスの他の処理を説明するための図である。
【符号の説明】
１０ａ、１０ｂ  発電業者
１２ａ、１２ｂ  配電卸売業者
１４ａ、１４ｂ  電力需要家
２２  主電力量計
２８、３０  機器別電力量計
３２  データ収集分析装置
３４、３６、３８、４０、４２、４４、４６  データベース
４８  ロードサーベイデータ分析部
５０  プロフィール分析部
５２  ロードサーベイデータ補正部
５４  ロードプロファイルデータ作成部
５６  格納フォーマット変換部
５８  データベース
【図１】
2005045899.tif 000003
【図２】
2005045899.tif 000004
【図３】
2005045899.tif 000005
【図４】
2005045899.tif 000006
【図５】
2005045899.tif 000007
【図６】
2005045899.tif 000008
【図７】
2005045899.tif 000009
【図８】
2005045899.tif 000010
【図９】
2005045899.tif 000011
【図１０】
2005045899.tif 000012